(57)【要約】【課題】  空調運転を開始している非居室の空調効果を阻害することなく、住居全体からの換気量を十分に確保可能な換気システムを提供する。【解決手段】  居室及び非居室が通風可能に連通する状態で備えられた住居の換気のために、非居室に対する換気手段Ｕ２を設けた換気システムであって、換気手段Ｕ２が、非居室の内、空調運転が開始された空調運転開始非居室と直接的に通風可能に連通する直接連通非居室及び空調運転開始非居室と直接的に通風可能に連通しない間接連通非居室が存在するときには、空調運転開始非居室の換気運転を停止し、且つ、間接連通非居室での換気量が直接連通非居室での換気量よりも多くなるように換気運転するように構成されている。【選択図】        図１
2005134065.tif 000002
【特許請求の範囲】
【請求項１】
居室及び非居室が通風可能に連通する状態で備えられた住居の換気のために、前記非居室に対する換気手段を設けた換気システムであって、
前記換気手段が、前記非居室の内、空調運転が開始された空調運転開始非居室と直接的に通風可能に連通する直接連通非居室及び前記空調運転開始非居室と直接的に通風可能に連通しない間接連通非居室が存在するときには、前記空調運転開始非居室の換気運転を停止し、且つ、前記間接連通非居室での換気量が前記直接連通非居室での換気量よりも多くなるように換気運転するように構成されている換気システム。
【請求項２】
居室及び非居室が通風可能に連通する状態で備えられた住居の換気のために、前記非居室に対する換気手段を設けた換気システムであって、
前記換気手段が、前記非居室の内、空調運転が開始された空調運転開始非居室と直接的に通風可能に連通しない間接連通非居室が存在せず、前記空調運転開始非居室と直接的に通風可能に連通する複数の直接連通非居室が存在するときには、前記空調運転開始非居室の換気運転を停止し、且つ、前記複数の直接連通非居室の内の１つである廊下での換気量が他の前記直接連通非居室での換気量よりも多くなるように換気運転するように構成されている換気システム。
【請求項３】
居室及び非居室が通風可能に連通する状態で備えられた住居の換気のために、前記非居室に対する換気手段を設けた換気システムであって、
前記換気手段が、前記非居室の内、空調運転が開始された空調運転開始非居室と直接的に通風可能に連通する直接連通非居室及び前記空調運転開始非居室と直接的に通風可能に連通しない間接連通非居室が存在するときには、前記空調運転開始非居室の換気運転を停止し、且つ、前記間接連通非居室での換気量が前記直接連通非居室での換気量よりも多くなるように換気運転し、及び、
空調運転が開始された空調運転開始非居室と直接的に通風可能に連通しない間接連通非居室が存在せず、前記空調運転開始非居室と直接的に通風可能に連通する複数の直接連通非居室が存在するときには、前記空調運転開始非居室の換気運転を停止し、且つ、前記複数の直接連通非居室の内の１つである廊下での換気量が他の前記直接連通非居室での換気量よりも多くなるように換気運転するように構成されている換気システム。
【請求項４】
前記換気手段が、前記非居室の内、空調運転が開始された空調運転開始非居室と直接的に通風可能に連通しない間接連通非居室が存在せず、前記空調運転開始非居室と直接的に通風可能に連通する１つの直接連通非居室が存在するとき、前記空調運転開始非居室の換気運転を停止し、且つ、前記直接連通非居室である廊下で換気運転を行うように構成されている請求項３記載の換気システム。
【請求項５】
前記換気手段が、前記住居内に設けられた換気ファンの換気能力を変化させて、前記非居室での換気量を調整するように構成されている請求項１〜４のいずれか１項に記載の換気システム。
【発明の詳細な説明】
【技術分野】
【０００１】
本発明は、居室及び非居室が通風可能に連通する状態で備えられた住居の換気のために、前記非居室に対する換気手段を設けた換気システムに関する。
【背景技術】
【０００２】
かかる換気システムとしては、部屋間に設けられたアンダーカットやギャラリーなどの隙間を通して複数の居室及び非居室が通風可能に連通する状態で備えられた住居において、住居内の非居室としての浴室、脱衣室及びトイレで換気運転を行うことで、住居全体の空気を通風させながら換気を行うものがある。このような換気システムでの換気運転中に、例えば浴室の冷暖房運転が開始されたときには、浴室の換気運転を停止させて冷気又は暖気が外部に放出されないようにして、その冷暖房効果が阻害されないような運転を行う換気システムもある（例えば、特許文献１参照）。
【０００３】
そして、このような換気システムを用いて、例えば住居全体からの１時間当たりの換気回数を０．５回とするような２４時間換気を行って、所謂、シックハウスの原因となり得るクロルピリホスやホルムアルデヒドなどの揮発性化学物質を住居内に充満させないための対策とすることができる。
【０００４】
【特許文献１】特開平１０−７３２９４号公報
【発明の開示】
【発明が解決しようとする課題】
【０００５】
上述のような換気システムでは、住居内の浴室、脱衣室及びトイレからの換気中に浴室の冷暖房運転が開始され、浴室の換気運転が停止された場合、浴室とアンダーカットやギャラリーなどの隙間を通して通風可能に連通する脱衣室の換気運転状態が維持されているときには、アンダーカットやギャラリーなどを通して浴室から脱衣室へと流出する空気量は浴室での換気運転の停止後に増大して、浴室の冷暖房効果が阻害されるという問題が発生する。
【０００６】
更に、１時間当たりの換気回数を所定回数とするような住居からの２４時間換気運転を行っているときに浴室の冷暖房運転の開始に伴って換気運転が停止されると、浴室での換気量の減少分だけ脱衣室及びトイレなどの他の非居室からの換気量を増大させて、住居全体からの換気量（つまり、住居全体での単位時間当たりの換気回数）を十分に確保する必要が生じるのだが、その場合には、アンダーカットやギャラリーなどを通して浴室から脱衣室へと流出する空気量も更に増大するため、浴室の冷暖房効果が阻害されることが顕著になる。
【０００７】
本発明は、上記の課題に鑑みてなされたものであり、その目的は、空調運転を開始している非居室の空調効果を阻害することなく、住居全体からの換気量を十分に確保可能な換気システムを提供する点にある。
【課題を解決するための手段】
【０００８】
上記目的を達成するための本発明に係る換気システムの第１特徴構成は、居室及び非居室が通風可能に連通する状態で備えられた住居の換気のために、前記非居室に対する換気手段を設けた換気システムであって、前記換気手段が、前記非居室の内、空調運転が開始された空調運転開始非居室と直接的に通風可能に連通する直接連通非居室及び前記空調運転開始非居室と直接的に通風可能に連通しない間接連通非居室が存在するときには、前記空調運転開始非居室の換気運転を停止し、且つ、前記間接連通非居室での換気量が前記直接連通非居室での換気量よりも多くなるように換気運転するように構成されている点にある。
【０００９】
上記第１特徴構成によれば、空調運転開始非居室の換気運転を停止させると、その空調運転開始非居室内で暖められた空気又は冷やされた空気が外部へ強制的に換気されなくなって、空調の効果が阻害されることを防止できることとなる。また、上記直接連通非居室と上記間接連通非居室とで住居内の換気を行うときに、間接連通非居室での換気量が直接連通非居室での換気量よりも多くなるように換気運転させて、直接連通非居室での換気量が少なくなるように調整されているので、空調運転開始非居室から直接連接非居室へと流出する空気量を少なくさせ、空調運転開始非居室での空調の効果が阻害されることを防止できることになる。
従って、空調運転を開始している非居室の空調効果を阻害することなく、住居全体からの換気量を十分に確保可能な換気システムを提供することができる。
【００１０】
上記目的を達成するための本発明に係る換気システムの第２特徴構成は、居室及び非居室が通風可能に連通する状態で備えられた住居の換気のために、前記非居室に対する換気手段を設けた換気システムであって、前記換気手段が、前記非居室の内、空調運転が開始された空調運転開始非居室と直接的に通風可能に連通しない間接連通非居室が存在せず、前記空調運転開始非居室と直接的に通風可能に連通する複数の直接連通非居室が存在するときには、前記空調運転開始非居室の換気運転を停止し、且つ、前記複数の直接連通非居室の内の１つである廊下での換気量が他の前記直接連通非居室での換気量よりも多くなるように換気運転するように構成されている点にある。
【００１１】
上記第２特徴構成によれば、空調運転開始非居室の換気運転を停止させると、その空調運転開始非居室内で暖められた空気又は冷やされた空気が外部へ強制的に換気されなくなって、空調の効果が阻害されることを防止できることとなる。また、上記複数の直接連通非居室で住居内の換気を行うときに、上記複数の直接連通非居室の内の１つである廊下での換気量が他の直接連通非居室での換気量よりも多くなるように換気運転させると、廊下での換気量が多くなったとしても、廊下には複数の居室及び非居室が直接的に通風可能に連通されているため、連通されている各居室及び各非居室からアンダーカットなどを介して廊下へと引き込まれる夫々の空気量自体は少量である。従って、廊下と直接的に通風可能に連通する非居室で空調運転が行われているとしても、それら空調開始運転開始非居室から廊下へと流出する空気量は小さいので、空調運転開始非居室での空調の効果が阻害されることを防止できることになる。
従って、空調運転を開始している非居室の空調効果を阻害することなく、住居全体からの換気量を十分に確保可能な換気システムを提供することができる。
【００１２】
上記目的を達成するための本発明に係る換気システムの第３特徴構成は、居室及び非居室が通風可能に連通する状態で備えられた住居の換気のために、前記非居室に対する換気手段を設けた換気システムであって、前記換気手段が、前記非居室の内、空調運転が開始された空調運転開始非居室と直接的に通風可能に連通する直接連通非居室及び前記空調運転開始非居室と直接的に通風可能に連通しない間接連通非居室が存在するときには、前記空調運転開始非居室の換気運転を停止し、且つ、前記間接連通非居室での換気量が前記直接連通非居室での換気量よりも多くなるように換気運転し、及び、空調運転が開始された空調運転開始非居室と直接的に通風可能に連通しない間接連通非居室が存在せず、前記空調運転開始非居室と直接的に通風可能に連通する複数の直接連通非居室が存在するときには、前記空調運転開始非居室の換気運転を停止し、且つ、前記複数の直接連通非居室の内の１つである廊下での換気量が他の前記直接連通非居室での換気量よりも多くなるように換気運転するように構成されている点にある。
【００１３】
上記第３特徴構成によれば、空調運転開始非居室の換気運転を停止させると、その空調運転開始非居室内で暖められた空気又は冷やされた空気が外部へ強制的に換気されなくなるので、空調の効果が阻害されることを防止できることとなる。
また、空調運転が開始された空調運転開始非居室と直接的に通風可能に連通する直接連通非居室及び空調運転開始非居室と直接的に通風可能に連通しない間接連通非居室が存在する場合、上記直接連通非居室と上記間接連通非居室とで住居内の換気を行うときに、上記間接連通非居室での換気量が上記直接連通非居室での換気量よりも多くなるように換気運転させて、空調運転開始非居室と直接的に通風可能に連通する直接連通非居室での換気量が少なくなるように調整されているので、空調運転開始非居室から直接連接非居室へと流出する空気量を少なくさせ、空調運転開始非居室での空調の効果が阻害されることを防止できる。
【００１４】
そして、空調運転が開始された空調運転開始非居室と直接的に通風可能に連通しない間接連通非居室が存在せず、前記空調運転開始非居室と直接的に通風可能に連通する複数の直接連通非居室が存在する場合、上記複数の直接連通非居室で住居内の換気を行うときに、上記複数の直接連通非居室の内の１つである廊下での換気量が他の直接連通非居室での換気量よりも多くなるように換気運転させると、廊下での換気量が多くなったとしても、廊下には複数の居室及び非居室が直接的に通風可能に連通されているため、連通されている各居室及び各非居室からアンダーカットなどを介して廊下へと引き込まれる夫々の空気量自体は少量である。従って、廊下と直接的に通風可能に連通する非居室で空調運転が行われているとしても、それら空調開始運転開始非居室から廊下へと流出する空気量は小さいので、空調運転開始非居室での空調の効果が阻害されることを防止できることになる。
従って、空調運転を開始している非居室の空調効果を阻害することなく、住居全体からの換気量を十分に確保可能な換気システムを提供することができる。
【００１５】
本発明に係る換気システムの第４特徴構成は、上記第３特徴構成に加えて、前記換気手段が、前記非居室の内、空調運転が開始された空調運転開始非居室と直接的に通風可能に連通しない間接連通非居室が存在せず、前記空調運転開始非居室と直接的に通風可能に連通する１つの直接連通非居室が存在するとき、前記空調運転開始非居室の換気運転を停止し、且つ、前記直接連通非居室である廊下で換気運転を行うように構成されている点にある。
【００１６】
上記第４特徴構成によれば、空調運転開始非居室の換気運転を停止させると、その空調運転開始非居室で暖められた空気又は冷やされた空気が外部へ強制的に換気されなくなるので、空調の効果が阻害されることを防止できることとなる。また、１つの上記直接連通非居室である廊下で換気運転させたとしても、廊下には複数の居室及び非居室が直接的に通風可能に連通されているため、連通されている各居室及び各非居室からアンダーカットなどを介して廊下へと引き込まれる夫々の空気量自体は少量である。従って、廊下と直接的に通風可能に連通する非居室で空調運転が行われているとしても、空調開始運転開始非居室から廊下へと流出する空気量は小さいので、空調運転開始非居室での空調の効果が阻害されることを防止できることになる。
【００１７】
本発明に係る換気システムの第５特徴構成は、上記第１から第４のいずれかの特徴構成に加えて、前記換気手段が、前記住居内に設けられた換気ファンの換気能力を変化させて、前記非居室での換気量を調整するように構成されている点にある。
【００１８】
上記第５特徴構成によれば、換気手段が、換気ファンの換気能力を変化させて、上記非居室での換気量を調整して、住居全体からの換気量を十分に確保することができる。
【発明を実施するための最良の形態】
【００１９】
以下に本発明に係る換気システムの実施形態について、図面に基づいて説明する。
図１に示すのは、図２に示すような住居内の非居室である浴室、脱衣室、廊下及びトイレの内の少なくとも１つで換気運転を行うことで、住居全体からの換気が可能になった換気システムの概略図である。図２に示すように、住居内には、浴室、脱衣室、廊下、トイレなどの非居室の他に、住人が普段生活をしている居室があり、これらの居室及び非居室は、空気が流れる様子を図２中に矢印で示すように、アンダーカットやギャラリーなどの隙間によって各部屋間で直接的又は幾つかの部屋を介して間接的に通風可能に連通されている。そして、住居内の換気を行うために、外気導入口５０、５１、５２、５３から住居内へと新鮮な空気が取り入れられ、且つ、浴室用吸気部３、脱衣室用吸気部１３、廊下用吸気部２３（２３ａ、２３ｂ）及びトイレ用吸気部３３から吸引された非居室内の空気が、換気ユニットＵ２を用いて排気口５４から排気されている。その結果、住居全体からの２４時間換気を行って、所謂、シックハウスの原因となり得るクロルピリホスやホルムアルデヒドなどの揮発性化学物質が住居内に充満しないようにすることができる。また、２４時間換気運転を行うときに、例えば、住居全体からの１時間当たり換気回数を０．５回以上とするような換気運転条件もあり、このような換気回数の運転条件を満たすために、制御部１０は換気ユニット（換気手段）Ｕ２の作動を制御している。
【００２０】
図１に切り欠き断面図で示す暖房ユニットＵ１は、浴室用循環ファン２を作動させることで、浴室内の空気を浴室用吸気部３から吸引し、浴室用吹き出し部４から浴室内に吹き出させる涼風運転を実行することができる。そして、浴室用熱交換器１が外部熱源機Ｍから熱媒の供給を受けているときには、浴室内から吸引された空気がその浴室用熱交換器１で暖められた後で浴室内に吹き出されるという暖房運転が実行される。
【００２１】
また、図１に切り欠き断面図で示す換気ユニットＵ２の換気ファン４２が作動しているとき、暖房ユニットＵ１と換気ユニットＵ２との間の仕切りとして作用している浴室用開閉部５を開けると、暖房ユニットＵ１内の空気が換気ユニットＵ２へ流入して、排気部４４を介して排気口５４から屋外に排気されるという換気運転が実行されることになる。そして、浴室用熱交換器１が外部熱源機Ｍから熱媒の供給を受けているときには、浴室内から吸引された空気がその浴室用熱交換器１で暖められた後で浴室内に吹き出され、且つ、浴室内の空気が屋外へ排気されるという乾燥運転を実行することができる。
【００２２】
図１の切り欠き断面図に示すように、脱衣室には、脱衣室内の空気を吸引する脱衣室用吸気部１３と脱衣室内へ空気を吹き出させる脱衣室用吹き出し部１４とが設けられ、脱衣室用吸気部１３と脱衣室用吹き出し部１４との間の流路中に脱衣室用熱交換器１１と脱衣室用循環ファン１２とが設けられている。そして、脱衣室用開閉部１５が図中の「閉」位置にあり、脱衣室用循環ファン１２が作動し、且つ、脱衣室用熱交換器１１が外部熱源機Ｍから熱媒の供給を受けているときには、脱衣室内から吸引された空気がその脱衣室用熱交換器１１で暖められた後で脱衣室内に吹き出されるという暖房運転が実行される。
他方で、脱衣室用開閉部１５が図中の「開」位置にあり、換気ファン４２が作動しているときには、脱衣室内から吸引された空気が換気ファン４２及び排気部４４を介して排気口５４から屋外に排気されるという換気運転が実行されることになる。
【００２３】
廊下には、廊下内の空気を吸引する廊下用吸気部２３が設けられ、廊下用開閉部２５が図中の「開」位置にあり、換気ファン４２が作動しているときには、廊下から吸引された空気が換気ファン４２及び排気部４４を介して排気口５４から屋外に排気されるという換気運転が実行されることになる。
【００２４】
また、トイレにも脱衣室と同様に、トイレ内の空気を吸引するトイレ用吸気部３３とトイレ内へ空気を吹き出させるトイレ用吹き出し部３４とが設けられ、トイレ用吸気部３３とトイレ用吹き出し部３４との間の流路中にトイレ用熱交換器３１とトイレ用循環ファン３２とが設けられている。そして、トイレ用開閉部３５が図中の「閉」位置にあり、トイレ用循環ファン３２が作動し、且つ、トイレ用熱交換器３１が外部熱源機Ｍから熱媒の供給を受けているときには、トイレ内から吸引された空気がそのトイレ用熱交換器３１で暖められた後でトイレ内に吹き出されるという暖房運転が実行される。
【００２５】
他方で、トイレ用開閉部３５が図中の「開」位置にあり、換気ファン４２が作動しているときには、トイレ内から吸引された空気が換気ファン４２及び排気部４４を介して排気口５４から屋外に排気されるという換気運転が実行されることになる。
【００２６】
以上のように、浴室にて実行される涼風運転、暖房運転、換気運転及び乾燥運転、脱衣室にて実行される暖房運転及び換気運転、廊下にて実行される換気運転、並びに、トイレにて実行される暖房運転及び換気運転を実行可能であることについて個別に説明したが、図１及び図３に示すような脱衣室用リモコン操作部１６及びトイレ用リモコン操作部３６によって上記各運転の運転指令が操作入力された場合、以下に説明するように、制御部１０は、浴室、脱衣室及びトイレの運転状態を逐次制御可能に構成されている。
【００２７】
操作者が、図３（ａ）に示す脱衣室用リモコン操作部１６の「２４時間換気」スイッチ６７を押し操作すると、住居内の２４時間換気運転が開始されて、「２４時間換気」表示ランプ６７ａが点灯する。そして、住居内の２４時間換気運転中に操作者が「２４時間換気」スイッチ６７を押し操作すると、住居内の２４時間換気運転が停止されて、「２４時間換気」表示ランプ６７ａが消灯する。また、「乾燥」スイッチ６２を押し操作すると、上述した浴室の乾燥運転が開始されて、「乾燥」表示ランプ６２ａが点灯する。そして、浴室の乾燥運転中に操作者が「乾燥」スイッチ６２を押し操作すると、浴室の乾燥運転が停止されて、「乾燥」表示ランプ６２ａが消灯する。そして、操作者が「涼風」スイッチ６３を押し操作すると、上述した浴室の涼風運転が開始されて、「涼風」表示ランプ６３ａが点灯する。そして、浴室の涼風運転中に操作者が「涼風」スイッチ６３を押し操作すると、浴室の涼風運転が停止されて、「涼風」表示ランプ６３ａが消灯する。また、操作者が「暖房」スイッチ６４を押し操作すると、上述した浴室の暖房運転が開始されて、「暖房」表示ランプ６４ａが点灯する。そして、浴室の暖房運転中に操作者が「暖房」スイッチ６４を押し操作すると、浴室の暖房運転が停止されて、「暖房」表示ランプ６４ａが消灯する。更に、操作者が「換気」スイッチ６５を押し操作すると、上述した浴室の換気運転が開始されて、「換気」表示ランプ６５ａが点灯する。そして、浴室の換気運転中に操作者が「換気」スイッチ６５を押し操作すると、浴室の換気運転が停止されて、「換気」表示ランプ６５ａが消灯する。
そして、タイマー設定スイッチ６１を用いて所望の運転継続時間を設定して、上述の乾燥運転、涼風運転、暖房運転及び換気運転をタイマー運転させることもでき、その時のタイマー運転実行時の運転残り時間はタイマー表示部３０に表示される。
【００２８】
また、操作者が脱衣室用に設けられている「暖房」スイッチ６６を押し操作すると、上述した脱衣室の暖房運転が開始されて、「暖房」表示ランプ６６ａが点灯する。そして、脱衣室の暖房運転中に操作者が「暖房」スイッチ６６を押し操作すると、脱衣室の暖房運転が停止されて、「暖房」表示ランプ６６ａが消灯する。
【００２９】
同様に図３（ｂ）に示すように、例えばトイレの壁面には、トイレの暖房運転を指令することのできるトイレ用リモコン操作部３６が設けられている。そして、操作者がトイレ用に設けられている「暖房」スイッチ３７を押し操作すると、上述したトイレの暖房運転が開始されて、「暖房」表示ランプ３７ａが点灯する。そして、トイレの暖房運転中に操作者が「暖房」スイッチ３７を押し操作すると、トイレの暖房運転が停止されて、「暖房」表示ランプ３７ａが消灯する。
【００３０】
次に、住居の２４時間換気が行われているときに、脱衣室用リモコン操作部１６及びトイレ用リモコン操作部３６によって指令された暖房運転（空調運転）を浴室、脱衣室及びトイレで実行する場合、制御部１０が、換気ファン４２、浴室用開閉部５、脱衣室用開閉部１５、廊下用開閉部２５及びトイレ用開閉部３５をどのように作動させるのかについて説明する。表１に示すのは、浴室、脱衣室及びトイレの空調運転のＯＮ状態又はＯＦＦ状態の組み合わせである。そして、本実施形態では、非居室である廊下と直接的に通風可能に非居室である脱衣室と非居室であるトイレとが夫々連通され、その脱衣室と直接的に通風可能に（つまり、廊下とは脱衣室を介して間接的に通風可能に）非居室である浴室が連通されているものとする。
【００３１】
【表１】
2005134065.tif 000003
【００３２】
空調運転状態Ａは、２４時間換気運転が行われているときに、何れの非居室でも空調運転が開始されていない状態であり、浴室、脱衣室、廊下及びトイレの少なくとも１つで上述した換気運転が行われ、住居全体での換気回数（つまり、住居全体での換気量）の運転条件を満たすような換気運転が行われている。
【００３３】
空調運転状態Ｂは、２４時間換気運転が行われているときに、浴室、脱衣室及びトイレの空調運転が開始された状態である。
制御部１０は、脱衣室用リモコン操作部１６及びトイレ用リモコン操作部３６によって非居室である浴室、脱衣室及びトイレの空調運転を開始するように指令されると、浴室、脱衣室及びトイレの空調運転を夫々開始させると共に、浴室、脱衣室及びトイレの換気運転を停止させる。その結果、浴室、脱衣室及びトイレの空調効果が阻害されることを防止できる。また、制御部１０は、浴室、脱衣室及びトイレでの換気運転を停止したことによる住居全体での換気量の減少分を補償するために、非居室である廊下での換気運転による換気量を増大させて、住居内の２４時間換気運転を継続するように制御する。
【００３４】
具体的には、制御部１０は、廊下と換気ファン４２との間を通風する空気の空気抵抗が小さくなるように廊下用開放部２５を適切な開度で開放させる、又は、換気ファン４２のファン回転数（換気能力）を上昇させることで、廊下での換気運転による換気量を増大させるような制御を行う。また、制御部１０は、廊下で換気運転が行われていなかったときには、廊下の換気運転を開始させ、且つ、廊下での換気運転による換気量によって住居全体での換気量が確保されるように制御する。
【００３５】
以上のように、換気ユニットＵ２は、非居室の内、空調運転が開始された空調運転開始非居室である浴室、脱衣室及びトイレと直接的に通風可能に連通しない間接連通非居室が存在せず、空調運転開始非居室である脱衣室及びトイレと直接的に通風可能に連通する１つの直接連通非居室である廊下が存在するとき、空調運転開始非居室である浴室、脱衣室及びトイレの換気運転を停止し、且つ、廊下で換気運転を行うように構成されていることで、非居室の空調運転を行ったときの冷暖房効果を阻害することなく、住居全体からの換気量を十分に確保することが可能となる。
【００３６】
空調運転状態Ｃは、２４時間換気運転が行われているときに、浴室及び脱衣室の空調運転が開始された状態である。
制御部１０は、脱衣室用リモコン操作部１６によって非居室である浴室及び脱衣室の空調運転を開始するように指令されると、浴室及び脱衣室の空調運転を夫々開始させると共に、浴室及び脱衣室の換気運転を停止させる。その結果、浴室及び脱衣室の空調効果が阻害されることを防止できる。また、制御部１０は、浴室及び脱衣室での換気運転を停止したことによる住居全体での換気量の減少分を補償するために、非居室であるトイレでの換気運転による換気量が、同じく非居室である廊下での換気運転による換気量よりも多くなるような換気量配分で、住居内の２４時間換気運転を継続するように制御する。
【００３７】
具体的には、制御部１０は、トイレと換気ファン４２との間を通風する空気の空気抵抗が、廊下と換気ファン４２との間を通風する空気の空気抵抗よりも小さくなるように、トイレ用開閉部３５と廊下用開閉部２５とを適切な開度で開放させることで、トイレでの換気量と廊下での換気量との換気量配分を制御している。そして、制御部１０は、トイレ用開閉部３５及び廊下用開閉部２５の開度を調整しても住居全体からの換気量を十分に確保できないときには、換気ファン４２のファン回転数を上昇させて、十分な換気量の確保を行うように制御する。また、トイレでの換気運転による換気量で住居全体からの換気量を確保できるのであれば、廊下を換気運転しなくても構わない。
【００３８】
以上のように、換気ユニットＵ２は、非居室の内、空調運転が開始された空調運転開始非居室である脱衣室と直接的に通風可能に連通する直接連通非居室である廊下及び空調運転開始非居室である浴室及び脱衣室と直接的に通風可能に連通しない間接連通非居室であるトイレが存在するときには、空調運転開始非居室である浴室及び脱衣室の換気運転を停止し、且つ、間接連通非居室であるトイレでの換気量が直接連通非居室である廊下での換気量よりも多くなるように換気運転するように構成されていることで、非居室の空調運転を行ったときの冷暖房効果を阻害することなく、住居全体からの換気量を十分に確保することが可能となる。
【００３９】
空調運転状態Ｄは、２４時間換気運転が行われているときに、浴室及びトイレの空調運転が開始された状態である。
制御部１０は、脱衣室用リモコン操作部１６及びトイレ用リモコン操作部３６によって非居室である浴室及びトイレの空調運転を開始するように指令されると、浴室及びトイレの空調運転を夫々開始させると共に、浴室及びトイレの換気運転を停止させる。その結果、浴室及びトイレの空調効果が阻害されることを防止できる。また、制御部１０は、浴室及びトイレでの換気運転を停止したことによる住居全体での換気量の減少分を補償するために、非居室である廊下での換気運転による換気量が、同じく非居室である脱衣室での換気運転による換気量よりも多くなるような換気量配分で、住居内の２４時間換気運転を継続するように制御する。図２に示すように、廊下には、直接的に通風可能に連通されている複数の居室が存在しているため、廊下での換気量を増大させたとしても、各居室及び各非居室からアンダーカットなどを介して廊下へと引き込まれる夫々の空気量自体は小さいものである。従って、例えば、廊下と直接的に通風可能に連通するトイレで冷暖房運転が行われているとしても、トイレから廊下へと流出する空気量は小さいので、トイレでの空調効果が阻害される影響は小さい。
【００４０】
具体的には、制御部１０は、廊下と換気ファン４２との間を通風する空気の空気抵抗が、脱衣室と換気ファン４２との間を通風する空気の空気抵抗よりも小さくなるように、廊下用開閉部２５と脱衣室用開閉部１５とを適切な開度で開放させることで、廊下での換気量と脱衣室での換気量との換気量配分を制御している。そして、制御部１０は、廊下用開閉部２５と脱衣室用開閉部１５との開度を調整しても住居全体からの換気量を十分に確保できないときには、換気ファン４２のファン回転数を上昇させて、十分な換気量の確保を行うように制御する。
【００４１】
以上のように、換気ユニットＵ２は、非居室の内、空調運転が開始された空調運転開始非居室である浴室及びトイレと直接的に通風可能に連通しない間接連通非居室が存在せず、空調運転開始非居室である浴室及びトイレと直接的に通風可能に連通する複数の直接連通非居室である脱衣室及び廊下が存在するときには、空調運転開始非居室である浴室及びトイレの換気運転を停止し、且つ、直接連通非居室の内の１つである廊下での換気量が他の直接連通非居室である脱衣室での換気量よりも多くなるように換気運転するように構成されている。
【００４２】
空調運転状態Ｅは、２４時間換気運転が行われているときに、浴室の空調運転が開始された状態である。
制御部１０は、脱衣室用リモコン操作部１６によって非居室である浴室の空調運転を開始するように指令されると、浴室の空調運転を開始させると共に、浴室の換気運転を停止させる。その結果、浴室の空調効果が阻害されることを防止できる。また、制御部１０は、浴室での換気運転を停止したことによる住居全体での換気量の減少分を補償するために、非居室であるトイレ及び廊下での換気運転による換気量が、同じく非居室である脱衣室での換気運転による換気量よりも多くなるような換気量配分で、住居内の２４時間換気運転を継続するように制御する。
【００４３】
具体的には、制御部１０は、トイレと換気ファン４２との間を通風する空気の空気抵抗又は廊下と換気ファン４２との間を通風する空気の空気抵抗が、脱衣室と換気ファン４２との間を通風する空気の空気抵抗よりも小さくなるように、トイレ用開閉部３５と廊下用開閉部２５と脱衣室用開閉部１５とを適切な開度で開放させることで、トイレ及び廊下での換気量と脱衣室での換気量との換気量配分を制御している。そして、制御部１０は、トイレ用開閉部３５、廊下用開閉部２５及び脱衣室用開閉部１５の開度を調整しても住居全体からの換気量を十分に確保できないときには、換気ファン４２のファン回転数を上昇させて、十分な換気量の確保を行うように制御する。また、トイレ及び廊下での換気運転による換気量で住居全体からの換気量を確保できるのであれば、脱衣室を換気運転しなくても構わない。更に、トイレ及び廊下の一方での換気運転による換気量で住居全体からの換気量を確保できるのであれば、トイレ及び廊下の他方を換気運転しなくても構わない。
【００４４】
以上のように、換気ユニットＵ２は、非居室の内、空調運転が開始された空調運転開始非居室である浴室と直接的に通風可能に連通する直接連通非居室である脱衣室及び空調運転開始非居室である浴室と直接的に通風可能に連通しない間接連通非居室であるトイレ及び廊下が存在するときには、空調運転開始非居室である浴室の換気運転を停止し、且つ、間接連通非居室であるトイレ及び廊下での換気量が直接連通非居室である脱衣室での換気量よりも多くなるように換気運転するように構成されていることで、非居室の空調運転を行ったときの冷暖房効果を阻害することなく、住居全体からの換気量を十分に確保することが可能となる。
【００４５】
空調運転状態Ｆは、２４時間換気運転が行われているときに、脱衣室及びトイレの空調運転が開始された状態である。
制御部１０は、脱衣室用リモコン操作部１６及びトイレ用リモコン操作部３６によって非居室である脱衣室及びトイレの空調運転を開始するように指令されると、脱衣室及びトイレの空調運転を夫々開始させると共に、脱衣室及びトイレの換気運転を停止させる。その結果、脱衣室及びトイレの空調効果が阻害されることを防止できる。また、制御部１０は、脱衣室及びトイレでの換気運転を停止したことによる住居全体での換気量の減少分を補償するために、非居室である廊下での換気運転による換気量が、同じく非居室である浴室での換気運転による換気量よりも多くなるような換気量配分で、住居内の２４時間運転を継続するように制御する。図２に示すように、廊下には、直接的に通風可能に連通されている複数の居室が存在しているため、廊下での換気量を増大させたとしても、各居室及び各非居室からアンダーカットなどを介して廊下へと引き込まれる夫々の空気量自体は小さいものである。従って、例えば、廊下と直接的に通風可能に連通するトイレで冷暖房運転が行われているとしても、トイレから廊下へと流出する空気量は小さいので、トイレでの空調効果が阻害される影響は小さい。
【００４６】
具体的には、制御部１０は、廊下と換気ファン４２との間を通風する空気の空気抵抗が、浴室と換気ファン４２との間を通風する空気の空気抵抗よりも小さくなるように、廊下用開閉部２５と浴室用開閉部５とを適切な開度で開放させることで、廊下での換気量と浴室での換気量との換気量配分を制御している。そして、制御部１０は、廊下用開閉部２５と脱衣室用開閉部１５との開度を調整しても住居全体からの換気量を十分に確保できないときには、換気ファン４２のファン回転数を上昇させて、十分な換気量の確保を行うように制御する。
【００４７】
以上のように、換気ユニットＵ２は、非居室の内、空調運転が開始された空調運転開始非居室である脱衣室及びトイレと直接的に通風可能に連通しない間接連通非居室が存在せず、空調運転開始非居室と直接的に通風可能に連通する複数の直接連通非居室である浴室及び廊下が存在するときには、空調運転開始非居室である脱衣室及びトイレの換気運転を停止し、且つ、直接連通非居室の内の１つである廊下での換気量が他の直接連通非居室である浴室での換気量よりも多くなるように換気運転するように構成されていることで、非居室の空調運転を行ったときの冷暖房効果を阻害することなく、住居全体からの換気量を十分に確保することが可能となる。
【００４８】
空調運転状態Ｇは、２４時間換気運転が行われているときに、脱衣室の空調運転が開始された状態である。
制御部１０は、脱衣室用リモコン操作部１６によって非居室である脱衣室の空調運転を開始するように指令されると、脱衣室の空調運転を開始させると共に、脱衣室の換気運転を停止させる。その結果、脱衣室の空調効果が阻害されることを防止できる。また、制御部１０は、脱衣室での換気運転を停止したことによる住居全体での換気量の減少分を補償するために、非居室であるトイレでの換気運転による換気量が、同じく非居室である浴室及び廊下での換気量よりも多くなるように、住居内の２４時間運転を継続するように制御する。
【００４９】
具体的には、制御部１０は、トイレと換気ファン４２との間を通風する空気の空気抵抗が、浴室と換気ファン４２との間を通風する空気の空気抵抗及び廊下と換気ファン４２との間を通風する空気の空気抵抗よりも小さくなるように、トイレ用開閉部３５と浴室用開閉部５と廊下用開閉部２５とを適切な開度で開放させることで、トイレでの換気量と浴室及び廊下での換気量との換気量配分を制御している。そして、制御部１０は、トイレ用開閉部３５と浴室用開閉部５と廊下用開閉部２５との開度を調整しても住居全体からの換気量を十分に確保できないときには、換気ファン４２のファン回転数を上昇させて、十分な換気量の確保を行うように制御する。また、トイレでの換気運転による換気量で住居全体からの換気量を確保できるのであれば、浴室及び廊下を換気運転しなくても構わない。更に、トイレと浴室及び廊下の一方とでの換気運転による換気量で住居全体からの換気量を確保できるのであれば、浴室及び廊下の他方を換気運転しなくても構わない。
【００５０】
以上のように、換気ユニットＵ２は、非居室の内、空調運転が開始された空調運転開始非居室である脱衣室と直接的に通風可能に連通する直接連通非居室である浴室及び廊下並びに空調運転開始非居室である脱衣室と直接的に通風可能に連通しない間接連通非居室であるトイレが存在するときには、空調運転開始非居室である脱衣室の換気運転を停止し、且つ、間接連通非居室であるトイレでの換気量が直接連通非居室である浴室及び廊下での換気量よりも多くなるように換気運転するように構成されていることで、非居室の空調運転を行ったときの冷暖房効果を阻害することなく、住居全体からの換気量を十分に確保することが可能となる。
【００５１】
空調運転状態Ｈは、２４時間換気運転が行われているときに、トイレの空調運転が開始された状態である。
制御部１０は、トイレ用リモコン操作部３６によって非居室であるトイレの空調運転を開始するように指令されると、トイレの空調運転を開始させると共に、トイレの換気運転を停止させる。その結果、トイレの空調効果が阻害されることを防止できる。また、制御部１０は、トイレでの換気運転を停止したことによる住居全体での換気量の減少分を補償するために、非居室である浴室及び脱衣室での換気運転による換気量が、同じく非居室である廊下での換気運転による換気量よりも多くなるような換気量配分で、住居内の２４時間換気運転を継続するように制御する。
【００５２】
具体的には、制御部１０は、浴室と換気ファン４２との間を通風する空気の空気抵抗又は脱衣室と換気ファン４２との間を通風する空気の空気抵抗が、廊下と換気ファン４２との間を通風する空気の空気抵抗よりも小さくなるように、浴室用開閉部５と脱衣室用開閉部１５と廊下用開閉部２５とを適切な開度で開放させることで、トイレ及び脱衣室での換気量と廊下での換気量との換気量配分を制御している。そして、制御部１０は、浴室用開閉部５、脱衣室用開閉部１５及び廊下用開閉部２５の開度を調整しても住居全体からの換気量を十分に確保できないときには、換気ファン４２のファン回転数を上昇させて、十分な換気量の確保を行うように制御する。また、浴室及び脱衣室での換気運転による換気量で住居全体からの換気量を確保できるのであれば、廊下を換気運転しなくても構わない。更に、浴室及び脱衣室の一方での換気運転による換気量で住居全体からの換気量を確保できるのであれば、浴室及び脱衣室の他方を換気運転しなくても構わない。
【００５３】
以上のように、換気ユニットＵ２は、非居室の内、空調運転が開始された空調運転開始非居室であるトイレと直接的に通風可能に連通する直接連通非居室である廊下及び空調運転開始非居室であるトイレと直接的に通風可能に連通しない間接連通非居室である浴室及び脱衣室が存在するときには、空調運転開始非居室であるトイレの換気運転を停止し、且つ、間接連通非居室である浴室及び脱衣室での換気量が直接連通非居室である廊下での換気量よりも多くなるように換気運転するように構成されていることで、非居室の空調運転を行ったときの冷暖房効果を阻害することなく、住居全体からの換気量を十分に確保することが可能となる。
【００５４】
以上の結果、制御部１０は、上述した空調運転状態Ａ〜Ｈの何れが操作者によって指令されても、空調運転開始非居室での換気運転を停止させ、且つ、空調運転開始非居室以外の非居室での換気量配分を行って、指令された空調運転状態に応じた上述の２４時間換気運転を継続するように換気ユニットＵ２を作動させることができるので、空調運転開始非居室の空調効果を阻害することなく、住居全体からの換気量を十分に確保可能となる。
【００５５】
＜別実施形態＞
＜１＞
上記実施形態では、夫々が非居室である脱衣室及びトイレが廊下と直接的に通風可能に夫々連通され、その脱衣室と直接的に通風可能に（つまり、廊下とは脱衣室を介して間接的に通風可能に）浴室が連通されている部屋配置の下で本発明に係る換気システムの説明を行ったが、非居室である浴室、脱衣室、廊下及びトイレの部屋配置及び連通状態は上述の配置及び連通状態に限定されるものではない。また、非居室は上述の４つの部屋に限定されず、更に多数の部屋が非居室として存在する場合、又は非居室が更に数少なくても構わない。
【００５６】
＜２＞
上記実施形態では、図１に示すように各非居室に設けられた吸気部の数は１つであるように説明したが、図２に例示する廊下用吸気部２３ａ、２３ｂのように複数の吸気部を設けても構わない。そして、図１に示したような廊下用開閉部を廊下用吸気部２３ａ、２３ｂの夫々に設け、制御部１０が夫々の開閉部の開度を調整することで、廊下全体での換気量は一定であるとしても、廊下用吸気部２３ａを介した換気量と廊下用吸気部２３ｂを介した換気量との換気量配分を調整するような改変も可能である。
【００５７】
例えば、浴室、脱衣室及びトイレが空調運転を行っている空調運転状態Ａのとき、上述のように廊下での換気量を増大させる必要があるのだが、図２に示す廊下用吸気部２３ａを介した換気量が、廊下用吸気部２３ｂを介した換気量よりも多くなるような換気運転が制御部１０によって実行されると、空調運転を行っている浴室、脱衣室及びトイレの近辺に設けられた廊下用吸気部２３ｂへ、それら浴室、脱衣室及びトイレから吸い込まれる空気量が小さくなるため、浴室、脱衣室及びトイレでの空調効果が阻害されることを防止することができる。
【００５８】
＜３＞
上記実施形態では、換気ファン４２のファン回転数を変化させて換気能力を変化させる方法について説明したが、他にも換気ファン４２内部の吸気口や排気口の開口面積を変化させることで換気能力を変化させることもできる。
【００５９】
＜４＞
上記実施形態では、非居室である廊下の換気運転を行うために廊下用吸気部２３と廊下用開閉部２５とを設け、非居室である廊下の換気運転を行うときには制御部１０が廊下用開閉部２５の開度を調整することについて説明したが、廊下用開閉部２５が廊下用吸気部２３を閉じる位置に常に調整され、又は、廊下用吸気部２３及び廊下用開閉部２５が設けられていない、廊下の換気運転を行わないような換気システムを構築することもできる。このような換気システムが構築されたとき、上記実施形態で説明した換気ユニットＵ２は上記空調運転状態Ｃ〜Ｈにおいて下記のような換気運転を行うように改変される。尚、以下の説明では、上記実施形態と同様となる説明を省略している。
【００６０】
浴室及び脱衣室の空調運転が開始された空調運転状態Ｃのとき、直接連通非居室である廊下、及び、間接連通非居室であるトイレが存在するのだが、空調運転開始非居室である浴室及び脱衣室の換気運転、及び、廊下の換気運転は行われず、間接連通非居室であるトイレで換気運転が行われることになる。つまり、換気ユニットＵ２は、浴室及び脱衣室の空調運転が開始された空調運転状態Ｃのとき、空調運転開始非居室の換気運転を停止し、且つ、間接連通非居室で換気運転するように構成される。
【００６１】
浴室及びトイレの空調運転が開始された空調運転状態Ｄのとき、直接連通非居室である廊下及び脱衣室が存在するのだが、空調運転開始非居室である浴室及びトイレの換気運転、並びに、廊下の換気運転は行われず、直接連通非居室である脱衣室で換気運転が行われることになる。つまり、換気ユニットＵ２は、浴室及びトイレの空調運転が開始された空調運転状態Ｄのとき、空調運転開始非居室の換気運転を停止し、且つ、廊下以外の直接連通非居室で換気運転するように構成される。
【００６２】
浴室の空調運転が開始された空調運転状態Ｅのとき、直接連通非居室である脱衣室、及び、間接連通非居室である廊下とトイレとが存在するのだが、空調運転開始非居室である浴室の換気運転、及び、廊下の換気運転は行われず、直接連通非居室である脱衣室、及び、間接連通非居室であるトイレで換気運転が行われることになる。つまり、換気ユニットＵ２は、浴室の空調運転が開始された空調運転状態Ｅのとき、空調運転開始非居室の換気運転を停止し、且つ、直接連通非居室と、廊下以外の間接連通非居室とで換気運転を行うように構成され、且つ、間接連通非居室での換気量が直接連通非居室での換気量よりも多くなるように構成される。
【００６３】
脱衣室及びトイレの空調運転が開始された空調運転状態Ｆのとき、直接連通非居室である浴室と廊下とが存在するのだが、空調運転開始非居室である脱衣室及びトイレの換気運転、及び、廊下の換気運転は行われず、直接連通非居室である浴室で換気運転が行われることになる。つまり、換気ユニットＵ２は、脱衣室及びトイレの空調運転が開始された空調運転状態Ｆのとき、空調運転開始非居室の換気運転を停止し、且つ、廊下以外の直接連通非居室で換気運転を行うように構成される。
【００６４】
脱衣室の空調運転が開始された空調運転状態Ｇのとき、直接連通非居室である浴室と廊下、及び、間接連通非居室であるトイレが存在するのだが、空調運転開始非居室である脱衣室の換気運転、及び、廊下の換気運転は行われず、直接連通非居室である浴室、及び、間接連通非居室であるトイレで換気運転が行われることになる。つまり、換気ユニットＵ２は、脱衣室の空調運転が開始された空調運転状態Ｇのとき、空調運転開始非居室の換気運転を停止し、且つ、廊下以外の直接連通非居室、及び、間接連通非居室で換気運転が行われ、且つ、間接連通非居室での換気量が直接連通非居室での換気量よりも多くなるように構成される。
【００６５】
トイレの空調運転が開始された空調運転状態Ｈのとき、直接連通非居室である廊下、及び、間接連通非居室である浴室及び脱衣室が存在するのだが、空調運転開始非居室であるトイレの換気運転、及び、廊下の換気運転は行われず、間接連通非居室である浴室及び脱衣室で換気運転が行われることになる。つまり、換気ユニットＵ２は、トイレの空調運転が開始された空調運転状態Ｈのとき、空調運転開始非居室の換気運転を停止し、且つ、間接連通非居室で換気運転が行われるように構成される。
【図面の簡単な説明】
【００６６】
【図１】換気システムの構成図
【図２】住居内の空気の流れを説明する図
【図３】（ａ）は脱衣室用リモコン操作部の模式図であり、（ｂ）はトイレ用リモコン操作部の模式図
【符号の説明】
【００６７】
Ｕ２  換気ユニット（換気手段）
【図１】
2005134065.tif 000004
【図２】
2005134065.tif 000005
【図３】
2005134065.tif 000006